(57)【要約】【課題】装着者の音声の可聴性の低下を抑制し、会話の内容についてプライバシーを守る。これらを比較的低コストで実現する。【解決手段】マスクは、装着者の口を覆うように装着されるマスクであって、布状素材からなるマスク本体部と、上記マスク本体部上に配置され、装着者の音声を集音可能なマイクロフォンと、上記マイクロフォンに接続されたコードと、上記マイクロフォンを支持する支持部とを備え、上記支持部は、上記マスク本体部の周縁部に接合され、上記マスク本体部よりも剛性が高い。【選択図】図３
2020169407.tif 000002
【特許請求の範囲】
【請求項１】
装着者の口を覆うように装着されるマスクであって、
布状素材からなるマスク本体部と、
前記マスク本体部上に配置され、装着者の音声を集音可能なマイクロフォンと、
前記マイクロフォンに接続されたコードと、
前記マイクロフォンを支持する支持部とを備え、
前記支持部は、前記マスク本体部の周縁部に接合され、前記マスク本体部よりも剛性が高い。
【請求項２】
請求項１に記載のマスクであって、
前記マスク本体部の上端部または下端部にチャネルが形成され、前記コードの少なくとも一部分が前記チャネル内に配置される。
【請求項３】
請求項１または請求項２に記載のマスクであって、
前記支持部は線状ないし帯状部材を含み、
前記マスク本体部の上端部または下端部にチャネルが形成され、前記線状ないし帯状部材は前記チャネル内に配置される。
【請求項４】
請求項１から請求項３のいずれかに記載のマスクであって、
前記布状素材は紙からなる、または、化学繊維もしくは天然繊維を含む。
【請求項５】
請求項１から請求項４のいずれかに記載のマスクであって、
前記マスク本体部に画像ないし絵柄がプリントされている。
【請求項６】
請求項１から請求項５のいずれかに記載のマスクであって、
前記マスクは、前記装着者の耳に掛けるためのストラップ部をさらに備え、
前記ストラップ部は弾性を有するループを形成する。
【請求項７】
請求項１から請求項５のいずれかに記載のマスクであって、
前記マスクは、前記装着者の耳に掛けるためのストラップ部をさらに備え、
前記布状素材は前記ストラップ部に接続され、前記布状素材が前記ストラップ部に接続される位置の近傍において前記コードは前記布状素材に接続される。
【発明の詳細な説明】
【技術分野】
【０００１】
本開示は、マスクに関する。
【背景技術】
【０００２】
マスクにマイクロフォンを設け、マスクを装着した装着者が発する音声を集音することが従来から行なわれている。このようなマスクは、特許文献１ないし８に記載されている。
【０００３】
特許文献９には、圧電素子を用いて会話の音声を電気信号に変換することが示されている。圧電素子については、非特許文献１および非特許文献２に記載されている。
非特許文献３には、呼吸による圧力を電力に変換する機構が記載されている。
【先行技術文献】
【特許文献】
【０００４】
【特許文献１】米国特許出願公開第２００２／０７７８３８号明細書
【特許文献２】米国特許出願公開第２００２／１６６５５７号明細書
【特許文献３】米国特許出願公開第２００７／１２７６５９号明細書
【特許文献４】米国特許出願公開第２００８／１９５３９０号明細書
【特許文献５】米国特許出願公開第２００９／０６０１６９号明細書
【特許文献６】米国特許出願公開第２０１６／０５７６１８号明細書
【特許文献７】ロシア実用新案登録第１６６７４０号号公報
【特許文献８】韓国特許出願公開第１０−２０１５−００６８７４３号明細書
【特許文献９】米国特許出願公開第２０１５／０３７３２０号明細書
【非特許文献】
【０００５】
【非特許文献１】"Multimaterial piezoelectric fibres"，S. Egusa 他９名，2010年7月11日発行，Macmillan Publishers Limited，NATURE MATERIALS VOL 9
【非特許文献２】"Piezoelectric Microstructured Fibers via Drawing of Multimaterial Preforms"，Xin Lu他２名，2017年6月6日公開，Scientific Reports，インターネット＜https://www.nature.com/articles/s41598-017-01738-9＞
【非特許文献３】"Electromagnetic micro-power generator for energy harvesting from breathing"，Aidin Delnavaz 他１名，2012年10月25日発行，IEEE，IECON 2012 - 38th Annual Conference on IEEE Industrial Electronics Society
【発明の概要】
【発明が解決しようとする課題】
【０００６】
マスクにマイクロフォンを取り付けることにより、装着者の音声の可聴性を高めることができる。別の観点では、マスクの装着者の会話の内容について、プライバシーを守ることもできる。コストの増大を抑制しながらこれらを実現することが求められる。先行技術の開示は、この点において必ずしも十分なものであるとは言えない場合がある。
【０００７】
本開示の目的は、装着者の音声の可聴性の低下を抑制し会話の内容についてプライバシーを守ることができるマスクを比較的低コストで提供することにある。
【課題を解決するための手段】
【０００８】
本開示の１つの態様に係るマスクは、装着者の口を覆うように装着されるマスクであって、布状素材からなるマスク本体部と、上記マスク本体部上に配置され、装着者の音声を集音可能なマイクロフォンと、上記マイクロフォンに接続されたコードと、上記マイクロフォンを支持する支持部とを備え、上記支持部は、上記マスク本体部の周縁部に接合され、上記マスク本体部よりも剛性が高い。
【０００９】
本開示の他の態様に係るマスクは、圧電繊維とワイヤとを含む布状シートからなるマスク本体部と、少なくとも２つの電極と、少なくとも２つの上記電極と接続される通信モジュールとを備え、各々の上記ワイヤは少なくとも２つの上記電極のうち１つのみに接続される端部を有し、別々の上記電極に接続された複数の上記ワイヤが上記圧電繊維と交差する。
【発明の効果】
【００１０】
本開示によれば、装着者の音声の可聴性の低下を抑制し、会話の内容についてプライバシーを守ることができる。これらを比較的低コストで実現することができる。
【図面の簡単な説明】
【００１１】
【図１】実施の形態１に係るマスクの正面図である。
【図２】実施の形態１に係るマスクの部分的な分解斜視図である。
【図３】実施の形態１に係るマスクを装着者が装着した状態を示す図である。
【図４】実施の形態１に係るマスクにおけるコードの端部の一例を示す図である。
【図５】実施の形態１に係るマスクにおけるコードの端部の他の例を示す図である。
【図６】図４，図５に示される端子の構造の例を示す図である。
【図７】図４，図５に示される端子をデバイスに差し込む状態を示す図である。
【図８】実施の形態１に係るマスクの変形例を装着者が装着した状態を示す図である。
【図９】実施の形態１に係るマスクの他の変形例を装着者が装着した状態を示す図である。
【図１０】実施の形態２に係るマスクの正面図である。
【図１１】実施の形態２に係るマスクにおけるセンサ領域の構造を示す図である。
【図１２】実施の形態２に係るマスクにおけるセンサ領域の構造を示す図である。
【図１３】実施の形態２に係るマスクにおける通信機能に関する構成を示す図である。
【図１４】実施の形態２に係るマスクにおけるエネルギーハーベスタの一例を示す図である。
【図１５】実施の形態３に係るマスクを装着者が装着した状態を示す図である。
【図１６】実施の形態４に係るマスクを装着者が装着した状態を示す図である。
【発明を実施するための形態】
【００１２】
以下に、本開示の実施の形態について説明する。なお、同一または相当する部分に同一の参照符号を付し、その説明を繰返さない場合がある。
【００１３】
なお、以下に説明する実施の形態において、個数、量などに言及する場合、特に記載がある場合を除き、本開示の範囲は必ずしもその個数、量などに限定されない。また、以下の実施の形態において、各々の構成要素は、特に記載がある場合を除き、本開示にとって必ずしも必須のものではない。また、異なる実施の形態の記載事項を互いに組み合わせることも当然に予定されている。
【００１４】
（実施の形態１）
図１は、実施の形態１に係るマスクの正面図である。図１に示されるように、マスク１００は、マスク本体部１１０と、ストラップ部１２０と、フィット部１３０とを含む。
【００１５】
マスク１００は、１回の使用のみで廃棄する使い捨てのものであってもよいし、繰り返しの使用に適するものであってもよい。
【００１６】
図２は、マスク１００の部分的な分解斜視図である。図２に示されるように、マスク本体部１１０はプリーツ部１１０Ａを有する。プリーツ部１１０Ａにより、マスク１００を装着者の顔の上下方向に広げることができる。
【００１７】
マスク本体部１１０は布状素材から構成される。布状素材は、たとえば紙からなるものであってもよいし、化学繊維、天然繊維を含むものであってもよい。布状素材は、不織布であってもよいし、織物、編物であってもよい。化学繊維としては、たとえばポリオレフィン系の合成繊維を使用できるが、それ以外の化学繊維が使用されてもよい。天然繊維としては、たとえば綿が使用できるが、それ以外の天然繊維が使用されてもよい。マスク本体部１１０は、マスク１００におけるフィルタを構成する。布状部材からなるマスク本体部１１０は、マスク１００の使用の度に取り替えられるものであってもよい。
【００１８】
洗剤で洗浄しても著しく劣化しない素材でマスク本体部１１０を形成してもよい。この場合、マスク１００の繰り返しの使用が行ないやすい。
【００１９】
ストラップ部１２０は、左右のストラップ部材１２１，１２２を有する。ストラップ部材１２１，１２２は弾性を有するループを形成する。これにより、ストラップ部材１２１，１２２を装着者の左右の耳に掛けて、マスク１００を装着者が装着することができる。
【００２０】
ストラップ部材１２１，１２２は、紐状に形成されてもよいし、帯状に形成されてもよい。紐状のストラップ部材１２１，１２２は、たとえばゴム製であるが、他の素材が使用されてもよい。帯状のストラップ部材１２１，１２２は、たとえばポリオレフィン系やポリウレタン系の合成繊維を含むが、その他の素材が使用されてもよい。
【００２１】
フィット部１３０は、マスク本体部１１０に形成された袋状部１１１（チャネル）内に挿通される。図２に示されるフィット部１３０は線状部材により構成されているが、平坦な帯状部材によりフィット部１３０が構成されてもよい。フィット部１３０は、たとえばポリオレフィン系樹脂により構成されるが、それ以外の素材が使用されてもよい。
【００２２】
マスク１００において、フィット部１３０はマスク本体部１１０の上端部（装着者の口の上側に位置する端部）に設けられる。フィット部１３０は、装着者の顔の左右方向に延在する。フィット部１３０をマスク本体部１１０の下端部（装着者の口の下側に位置する端部）に設けてもよいし、フィット部１３０をマスク本体部１１０の上端部および下端部の両方に設けてもよい。フィット部１３０には、後述のマイクロフォン１４０が取付けられる。フィット部１３０は、マイクロフォン１４０を支持する支持部を構成する。フィット部１３０は、マスク本体部１１０よりも剛性が高い。これにより、フィット部１３０によりマイクロフォン１４０を安定して支持することができる。フィット部は、マイクロフォン１４０を支持するのに十分な剛性を有する。
【００２３】
本実施の形態においては、マスク本体部１１０とフィット部１３０とを別部材により構成しているが、本開示の範囲はこれに限定されない。マスク本体部１１０を構成する布状素材の一部の剛性を高くすることでフィット部１３０を構成してもよい。フィット部１３０は、マスク本体部１１０に直接接合されるものに限定されない。フィット部１３０は、他の部材を介してマスク本体部１１０に接合されるものであってもよい。
【００２４】
図３は、マスク１００を装着者が装着した状態を示す図である。図３に示されるように、マスク１００は、装着者の口を覆うように装着される。マスク本体部１１０の上端部は、装着者の鼻の上に位置している。マスク本体部１１０の上端部に設けられるフィット部１３０は、装着者の鼻の形に合わせて変形させることが可能である。これにより、マスク１００の装着者へのフィット感が向上する。フィット部１３０は、装着者の鼻の上で安定して静止する。
【００２５】
マスク本体部１１０の上端部には、マイクロフォン１４０が配置されている。図３の例では、マイクロフォン１４０は、フィット部１３０とともにマスク本体部１１０に形成された袋状部１１１（チャネル）内に収納されているが、マイクロフォン１４０の設置形態は必ずしもこれに限定されない。
【００２６】
マイクロフォン１４０は、装着者の音声を集音可能なものである。マイクロフォン１４０としては、たとえば２５０グラム未満のものが使用されるが、２５０グラム以上のマイクロフォン１４０が使用されてもよい。
【００２７】
マイクロフォン１４０として、具体的には、ＣＭＣ−３０１５−４４Ｌ１００（ＣＵＩ Ｉｎｃ．社）が使用可能である。また、Ｚｅｒｏ−Ｈｅｉｇｈｔ ＳｉＳｏｎｉｃ（登録商標）  ＳＰＵ０４１０ＬＲ５Ｈ−ＱＢ（Ｋｎｏｗｌｅｓ社）も使用可能である。マイクロフォン１４０の具体例はこれらに限定されない。
【００２８】
マイクロフォン１４０は、再利用可能な状態でマスク本体部１１０から取り外し可能に設けられる場合もあるし、再利用可能な状態ではマスク本体部１１０から取り外しができないように設けられる場合もある。
【００２９】
マイクロフォン１４０には、コード１５０が接続されている。コード１５０の他端はデバイスに接続されている。デバイスは、たとえば音声信号を発信し得る発信器である。発信器としては、具体的にはスマートフォンなどが挙げられるが、発信器の具体例はこれに限定されない。
【００３０】
コード１５０の一部分は、フィット部１３０およびマイクロフォン１４０とともにマスク本体部１１０に形成された袋状部１１１（チャネル）内に収納されているが、コード１５０の設置形態は必ずしもこれに限定されない。マイクロフォン１４０により集音された音声信号は、コード１５０を通じてデバイスに伝達される。デバイスからコード１５０を通じてマイクロフォン１４０に必要な電力を供給することができる。
【００３１】
図３に示すように、マスク本体部１１０がストラップ部１２０に接続される位置の近傍においてコード１５０はマスク本体部１１０に接続される。これにより、コード１５０は装着者の一方の耳に快適に吊り下げられ得る。
【００３２】
マイクロフォン１４０は、装着者の顔の中心線から約３／４インチ（約１．９ｃｍ）だけ外側にずれた位置に設けることができる。このようにすることで、装着者の鼻と頬の間に相当する位置にマイクロフォン１４０を配置することができる。当該位置は、装着者の顔の動きによる変位が少なく、集音に対する抵抗も比較的低い位置である。マイクロフォン１４０の設置位置はここで説明した位置に限定されるものではない。
【００３３】
図４は、コード１５０の他端の一例を示す図である。図４に示すように、コード１５０の他端には端子部１６０が設けられている。端子部１６０は、スマートフォンなどのデバイスに設けられた一般的なジャックに挿入可能な形状を有する。端子部１６０は、デバイスに挿入される部分である挿入部分１６１と、デバイスに挿入されず外部に露出する部分である非挿入部分１６２とを有する。挿入部分１６１においては金属が露出する。非挿入部分１６２は樹脂などの絶縁体により覆われる。
【００３４】
図５は、端子部１６０の変形例としての端子部１６０Ａを示す図である。端子部１６０Ａにおいては、挿入部分１６１Ａと非挿入部分１６２Ａとが垂直に交差している。
【００３５】
図６は、端子部１６０の内部構造を示す図である。図６においては、非挿入部分１６２をカバーする樹脂を図示していない。
【００３６】
図６に示すように、挿入部分１６１は、チップ部１６３と、スリーブ部１６４と、絶縁部１６５とを含む。チップ部１６３とスリーブ部１６４とは絶縁部１６５により絶縁されている。非挿入部分１６２は、チップ部１６６と、正相部１６７と、逆相部１６８とを含む。チップ部１６６および正相部１６７は、挿入部分１６１のチップ部１６３に接続されている。逆相部１６８は、挿入部分１６１のスリーブ部１６４に接続されている。
【００３７】
正相部１６７に伝達された信号は、チップ部１６３を通じてデバイスに伝達される。逆相部１６８に伝達された信号は、スリーブ部１６４を通じてデバイスに伝達される。これにより、マイクロフォン１４０により集音された音声信号が適切にデバイスに伝達される。
【００３８】
図７は、コード１５０の他端の端子部１６０（挿入部分１６１）をデバイス１７０に差し込む状態を示す図である。図７に示す状態では、挿入部分１６１は完全にデバイス１７０に挿入されておらず、挿入部分１６１の半分程度がデバイス１７０に挿入されている。図７においては、非挿入部分１６２の図示を省略している。
【００３９】
コード１５０および端子部１６０の形態は、図４ないし図７に例示するものに限定されず、種々の変更が可能である。
【００４０】
図８は、マスク１００の変形例を装着者が装着した状態を示す図である。図８に示す例では、マスク本体部１１０の下端部（装着者の口の下側に位置する端部）にマイクロフォン１４０が設けられている。この場合、フィット部１３０もマスク１００の下端部に設けられる。
【００４１】
図９は、マスク１００の他の変形例を装着者が装着した状態を示す図である。図９に示す例では、マスク本体部１１０の下端部（装着者の口の下側に位置する端部）であって、マスク本体部１１０の側端部に位置するようにマイクロフォン１４０が設けられている。
【００４２】
マイクロフォン１４０の位置はマスク本体部１１０上において適宜変更可能である。図１，図８，図９の例では、マイクロフォン１４０はマスク本体部１１０の周縁部に位置している。
【００４３】
本実施の形態に係るマスク１００によれば、複雑な構造や著しく高価な部品を用いることなく装着者が話す音声をマイクロフォン１４０により集音できる。一般的に、マスクを装着した際には、装着者の口がマスク本体部のフィルタにより覆われるため、装着者の音声の可聴性が低下することがある。他方、会話の音量が大きいと、会話の内容についてプライバシーが守れないことがあり得る。本実施の形態に係るマスク１００によれば、可聴性の低下を抑制し、会話の内容についてプライバシーを守ることができる。これらを比較的低コストで実現できる。
【００４４】
（実施の形態２）
図１０は、実施の形態２に係るマスクの正面図である。図１０に示されるように、マスク２００は、マスク本体部２１０と、ストラップ部２２０と、フィット部２３０とを含む。
【００４５】
マスク本体部２１０は、装着者の口を覆うように設けられる。ストラップ部２２０は、装着者の左右の耳に掛けられるループ状のストラップ部材２２１，２２２を有する。フィット部２３０は、マスク本体部２１０の上端部（装着者の口の上側に位置する端部）に設けられ、装着者の顔の左右方向に延在する。
【００４６】
マスク本体部２１０、ストラップ部２２０、およびフィット部２３０の詳細については、実施の形態１のマスク本体部１１０、ストラップ部１２０、およびフィット部１３０についての説明を援用可能である。よって、これらについての詳細な説明は繰り返さない。
【００４７】
マスク２００は、マスク本体部２１０の中央部のセンサ領域Ｂを有する。センサ領域Ｂは、マスク本体部２１０の全体にわたって設けられてもよいし、マスク本体部２１０の中央部からずれた位置に設けられてもよい。
【００４８】
図１１は、センサ領域Ｂの構造を示す図である。図１１に示されるように、センサ領域Ｂに設けられるセンサ部２４０は、ＰＺＴナノファイバー２４１と、プラチナワイヤ２４２とを含む。ＰＺＴナノファイバー２４１と、プラチナワイヤ２４２とは、互いに略直交する方向に交差する。
【００４９】
図１２は、センサ部２４０の構造をより詳細に示す図である。図１２に示されるように、センサ部２４０は、電極部２４３と、シリコン基板２４４とをさらに含む。ＰＺＴナノファイバー２４１、プラチナワイヤ２４２、電極部２４３、およびシリコン基板２４４は、圧電繊維を含む布状シートを構成している。
【００５０】
プラチナワイヤ２４２の一端は、２つの電極部２４３のうち１つのみに接続されている。一方（図中右側）の電極部２４３に接続されたプラチナワイヤ２４２と、他方（図中左側）の電極部２４３に接続されたプラチナワイヤ２４２とがＰＺＴナノファイバー２４１と交差する。２つの電極部２４３は、後述する通信モジュールに接続される。なお、電極部２４３の数は２つに限定されず、３つ以上であってもよい。
【００５１】
図１３は、マスク２００における通信機能に関する構成を示す図である。図１３に示されるように、マスク２００は、センサ部２４０と、ＡＣ（交流電流）−ＤＣ（直流電流）コンバータ２５０と、アナログ−デジタルコンバータ２６０と、キャパシタ２７０と、ＣＰＵ２８０と、通信モジュール２９０と、アンテナ２９５とを含む。
【００５２】
センサ部２４０は、マスク２００の装着者の会話の音声を圧力として検知し、電力に変換する。センサ部２４０により検知された音声信号は、通信モジュール２９０に送られる。通信モジュール２９０は、アンテナ２９５から音声信号を無線通信規格に従って出力する。無線通信規格の具体例として、Ｂｌｕｅｔｏｏｔｈ（登録商標）が使用可能である。音声信号の出力は無線通信に限られず、有線通信を用いることも可能である。マスク２００から無線通信ないし有線通信により出力された音声信号は、他のデバイスにより受信される。他のデバイスについては実施の形態１で説明したため、これについての説明は繰り返さない。
【００５３】
センサ部２４０により検知された音声信号は、アナログ−デジタルコンバータ２６０を介してＣＰＵ２８０にも送られる。ＣＰＵ２８０は、マスク２００の装着者の会話による音声が検知されている場合にのみ音声信号の出力を行なうように通信モジュール２９０を制御することが可能である。これにより、通信モジュール２９０による消費電力を低減することが可能である。
【００５４】
通信モジュール２９０の具体例として、ＥＺ−ＢＺ ＷＩＣＥＤＭｏｄｕｌｅ（登録商標）  ＣＹＢＴ−３４３０２６−０１（ＣＹＰＲＥＳＳ社）が使用可能である。また、通信モジュール２９０の他の具体例として、ＲＮ４８７０−７１（Ｍｉｃｒｏｃｈｉｐ  Ｔｅｃｈｎｏｌｏｇｙ  Ｉｎｃ．社）も使用可能である。
【００５５】
キャパシタ２７０に代えてバッテリを設けてもよいし、キャパシタ２７０にバッテリ（図示せず）を並列接続で付加してもよい。
【００５６】
マスク２００は、さらなる特徴として、装着者の呼吸による圧力を用いて発電を行なうエネルギーハーベスタを備える。図１４に示すエネルギーハーベスタ２０００は、固定マグネット２１００と、チューブ２２００と、コイル２３００と、可動マグネット２４００とを含む。エネルギーハーベスタ２０００は、上述の非特許文献３（Delnavazら）に記載のものを適用したものである。
【００５７】
マスク２００は、装着者の口を覆うように装着される。よって、装着者の呼吸による圧力が絶えず供給される。エネルギーハーベスタ２０００は、装着者の呼吸による圧力を用いて発電する。発電された電力は、マスク２００内の蓄電部に蓄電される。蓄電された電力は、音声信号の出力のために使用される。実施の形態１と同様に、他のデバイスの電力をマスク２００に供給してもよい。
【００５８】
上述のとおり、マスク２００においては、装着者の会話による音声が検知されているときにのみ音声信号の出力が行なわれる。他方、装着者の会話による音声が検知されていないときは、装着者の呼吸による圧力を用いて発電が行なわれ、生み出された電力は音声信号の出力のために使用される。このため、マスク２００全体として、消費電力が低減され得る。
【００５９】
このように、本実施の形態に係るマスク２００においては、圧電素子を用いて音声の検知と呼吸による発電とが行なわれている。圧電素子を含むモジュールの具体例として、ＰＰＡ（Ｍｉｄｅ  Ｔｅｃｈｎｏｌｏｇｙ  Ｃｏｒｐ．社）が使用可能である。圧電素子に含まれる圧電繊維の具体例として、Ｒｅｇｕｌａｒ  Ｆｉｂｅｒ  Ｃｏｍｐｏｓｉｔｅ（ＡＰＣ  Ｉｎｔｅｒｎａｔｉｏｎａｌ社）が使用可能である。
【００６０】
本実施の形態に係るマスク２００によれば、複雑な構造や著しく高価な部品を用いることなく装着者が話す音声をセンサ部２４０により集音できる。これにより、マスクを装着した際の装着者の音声の可聴性の低下を比較的低コストで抑制することができる。また、マスク２００の装着者の会話による音声が検知されている場合にのみ音声信号の出力を行なうようにするとともに、エネルギーハーベスタ２０００により装着者の呼吸による圧力を用いた発電を行なうことにより、消費電力を低減することができる。
【００６１】
（実施の形態３）
図１５は、実施の形態３に係るマスクを装着者が装着した状態を示す図である。本実施の形態に係るマスク３００は、実施の形態１，２に係るマスク１００，２００の変形例であって、マスク本体部３１０と、ストラップ部３２０とを含む。
【００６２】
マスク３００において、マスク本体部３１０の形状は、実施の形態１，２におけるマスク本体部１１０，２１０の形状（未使用時において矩形）とは異なる。マスク本体部３１０は、マスク３００の横方向の中央部（装着者の顔のセンターライン上）において、上下に長い形状を有する。
【００６３】
その他の事項については、実施の形態１，２と同様である。よって、詳細な説明については繰り返さない。
【００６４】
（実施の形態４）
図１６は、実施の形態４に係るマスクを装着者が装着した状態を示す図である。本実施の形態に係るマスク４００は、実施の形態１〜３に係るマスク１００，２００，３００の変形例であって、マスク本体部４１０と、ストラップ部４２０とを含む。
【００６５】
マスク４００においては、マスク本体部４１０にイメージ４１１（画像ないし絵柄）がプリントされている。画像ないし絵柄は、図１６に示すものに限定されない。
【００６６】
その他の事項については、実施の形態１〜３と同様である。よって、詳細な説明については繰り返さない。
【００６７】
以上、実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００６８】
１００，２００，３００，４００  マスク、１１０，２１０，３１０，４１０  マスク本体部、１１１  袋状部、１２０，２２０，３２０，４２０  ストラップ部、１２１，１２２，２２１，２２２  ストラップ部材、１３０，２３０  フィット部、１３１，１３２，２３１，２３２  ワイヤ部材、１４０  マイクロフォン、１５０  コード、１６０，１６０Ａ  端子部、１６１，１６１Ａ  挿入部分、１６２，１６２Ａ  非挿入部分、１６３  チップ部、１６４  スリーブ部、１６５  絶縁部、１６６  チップ部、１６７  正相部、１６８  逆相部、１７０  デバイス、２４０  センサ部、２４１  ＰＺＴナノファイバー、２４２  プラチナワイヤ、２４３  電極部、２４４  シリコン基板、２５０  ＡＣ−ＤＣコンバータ、２６０  アナログ−デジタルコンバータ、２７０  キャパシタ、２８０  ＣＰＵ、２９０  通信モジュール、２９５  アンテナ、４１１  イメージ、２０００  エネルギーハーベスタ、２１００  固定マグネット、２２００  チューブ、２３００  コイル、２４００  可動マグネット。
【図１】
2020169407.tif 000003
【図２】
2020169407.tif 000004
【図３】
2020169407.tif 000005
【図４】
2020169407.tif 000006
【図５】
2020169407.tif 000007
【図６】
2020169407.tif 000008
【図７】
2020169407.tif 000009
【図８】
2020169407.tif 000010
【図９】
2020169407.tif 000011
【図１０】
2020169407.tif 000012
【図１１】
2020169407.tif 000013
【図１２】
2020169407.tif 000014
【図１３】
2020169407.tif 000015
【図１４】
2020169407.tif 000016
【図１５】
2020169407.tif 000017
【図１６】
2020169407.tif 000018